(57)【要約】  本発明は、第１無線基地局２０１が、新たに共通制御チャネルを検出した第２無線基地局２０３及び検出しなくなった第２無線基地局２０３を変更有りの第２無線基地局として検出する工程Ａと、第１無線基地局２０１が、変更有りの第２無線基地局２０３に係る情報をネットワーク装置１００に対して通知する工程Ｂと、ネットワーク装置１００が、第１無線基地局２０１に関連付けられている第２無線基地局２０３に係る情報と、通知された変更有りの第２無線基地局２０３に係る情報とを用いて、第１無線基地局２０１又は第２無線基地局２０３の少なくとも一方の運用を停止する工程Ｃとを有する。
2009145212.tif 000002
【特許請求の範囲】
【請求項１】
無線基地局を監視する無線基地局監視方法であって、
第１無線基地局が、周辺に存在する第２無線基地局の共通制御チャネルを監視し、新たに共通制御チャネルを検出した第２無線基地局及び検出しなくなった第２無線基地局を、変更有りの第２無線基地局として検出する工程Ａと、
前記第１無線基地局が、前記変更有りの第２無線基地局に係る情報を、ネットワーク装置に対して通知する工程Ｂと、
前記ネットワーク装置が、前記第１無線基地局に関連付けられている前記第２無線基地局に係る情報と、通知された前記変更有りの第２無線基地局に係る情報とを用いて、前記第１無線基地局又は前記第２無線基地局の少なくとも一方の運用を停止する工程Ｃとを有することを特徴とする無線基地局監視方法。
【請求項２】
前記工程Ａにおいて、前記第１無線基地局は、前記第２無線基地局における共通制御チャネル送信用として割り当てられている周波数と送信タイミングと拡散符号とを用いて、前記共通制御チャネルを検出することを特徴とする請求項１に記載の無線基地局監視方法。
【請求項３】
前記工程Ｂにおいて、前記第１無線基地局は、前記変更有りの第２無線基地局に係る情報として、前記第２無線基地局の識別情報と、前記第２無線基地局における共通制御チャネル送信用として割り当てられている周波数、送信タイミング、拡散符号のうちの少なくとも１つとを、前記ネットワーク装置に送信することを特徴とする請求項１に記載の位置情報管理方法。
【請求項４】
前記工程Ｃにおいて、前記ネットワーク装置は、前記第１無線基地局に関連付けられている前記第２無線基地局において、前記変更有りの第２無線基地局の数と、残りの第２無線基地局の数とを比較し、該比較結果に基づいて、該第１無線基地局及び前記変更有りの第２無線基地局のどちらの設置位置が移動したかについて判定し、設置位置が移動したと判定された無線基地局の運用を停止することを特徴とする請求項１に記載の無線基地局監視方法。
【請求項５】
前記工程Ｃにおいて、前記ネットワーク装置は、前記第１無線基地局に関連付けられている前記第２無線基地局において、前記変更有りの第２無線基地局の数が、前記残りの第２無線基地局の数より少ない場合には、前記変更有りの第２無線基地局の設置位置が移動したと判定することを特徴とする請求項４に記載の無線基地局監視方法。
【請求項６】
前記工程Ｃにおいて、前記残りの第２無線基地局の中に第３無線基地局が含まれている場合、前記ネットワーク装置は、前記変更有りの第２無線基地局の設置位置が移動したと判定することを特徴とする請求項４に記載の無線基地局監視方法。
【請求項７】
前記工程Ｃにおいて、前記ネットワーク装置は、運用停止要求信号を送信することによって、前記第１無線基地局又は前記第２無線基地局の少なくとも一方の運用を停止することを特徴とする請求項１に記載の無線基地局監視方法。
【請求項８】
前記ネットワーク装置は、運用を停止した前記無線基地局に対応する通信端末に対して、再度、該無線基地局に係る情報を登録するように通知することを特徴とする請求項１に記載の無線基地局監視方法。
【請求項９】
無線基地局を監視する無線基地局監視方法で用いられるネットワーク装置であって、
第１無線基地局が、周辺に存在する第２無線基地局の共通制御チャネルを監視し、新たに共通制御チャネルを検出した第２無線基地局及び検出しなくなった第２無線基地局を変更有りの第２無線基地局として検出し、該変更有りの第２無線基地局に係る情報を前記ネットワーク装置に対して通知した場合に、前記第１無線基地局に関連付けられている前記第２無線基地局に係る情報と通知された前記変更有りの第２無線基地局に係る情報とを用いて、前記第１無線基地局又は前記第２無線基地局の少なくとも一方の運用を停止するように構成されている監視部とを具備することを特徴とするネットワーク装置。
【請求項１０】
前記監視部は、前記第１無線基地局に関連付けられている前記第２無線基地局において、前記変更有りの第２無線基地局の数と、残りの第２無線基地局の数とを比較し、該比較結果に基づいて、該第１無線基地局及び前記変更有りの第２無線基地局のどちらの設置位置が移動したかについて判定し、設置位置が移動したと判定された無線基地局の運用を停止するように構成されていることを特徴とする請求項９に記載のネットワーク装置。
【請求項１１】
前記監視部は、前記第１無線基地局に関連付けられている前記第２無線基地局において、前記変更有りの第２無線基地局の数が、前記残りの第２無線基地局の数より少ない場合には、前記変更有りの第２無線基地局の設置位置が移動したと判定するように構成されていることを特徴とする請求項１０に記載のネットワーク装置。
【請求項１２】
前記監視部は、前記残りの第２無線基地局の中に第３無線基地局が含まれている場合、前記変更有りの第２無線基地局の設置位置が移動したと判定するように構成されていることを特徴とする請求項１０に記載のネットワーク装置。
【請求項１３】
前記監視部は、運用停止要求信号を送信することによって、前記第１無線基地局又は前記第２無線基地局の少なくとも一方の運用を停止するように構成されていることを特徴とする請求項９に記載のネットワーク装置。
【請求項１４】
前記ネットワーク装置は、運用を停止した前記無線基地局に対応する通信端末に対して、再度、該無線基地局に係る情報を登録するように通知するように構成されていることを特徴とする請求項９に記載のネットワーク装置。
【発明の詳細な説明】
【技術分野】
【０００１】
本発明は、無線基地局を監視する無線基地局監視方法及びネットワーク装置に関する。
【背景技術】
【０００２】
一般的に、移動通信システムでは、不規則に発生する移動局からの接続要求に応えるために、ネットワーク管理者が、公衆通信用無線基地局の運用を開始した後は、かかる公衆通信用無線基地局は、定常的に、通信サービスを提供するように構成されている。【０００３】
例えば、ネットワーク管理者による公衆通信用無線基地局の運用を開始する際に、以下のような作業が行われることが想定される。【０００４】
第１工程において、ネットワーク管理者（保守者）自らが、公衆通信用無線基地局を設置して各種の結線等を行った後に、当該公衆通信用無線基地局の電源を投入して上位ノードとの間の回線を開通させる。【０００５】
第２工程において、ネットワーク経由で、若しくは、ネットワーク管理者の手動入力により、当該公衆通信用無線基地局に、各種パラメータを設定する。【０００６】
そして、ネットワーク管理者は、各種パラメータ設定を反映させて当該公衆通信用無線基地局の運用を開始した後は、故障又は構成変更等の理由で、当該公衆通信用無線基地局の再起動が必要な場合を除き、可能な限り、当該公衆通信用無線基地局による通信サービスの提供を中断することなく継続している。【０００７】
また、ネットワーク管理者は、当該公衆通信用無線基地局を撤去する場合には、当該公衆通信用無線基地局による通信サービスの提供を終了した上で、当該公衆通信用無線基地局の電源を切断する。【０００８】
以上の運用は、公衆通信用無線基地局についてのものであるが、ホーム無線基地局（Ｈｏｍｅ  ｅＮＢ）と呼ばれるような家庭等の小規模なエリアに設置される無線基地局においても、基本的に同様の運用が行われるものと予想される。
【発明の概要】
【発明が解決しようとする課題】
【０００９】
しかしながら、ユーザ自らが、ホーム無線基地局を購入して設置することが見込まれているため、上述の第１工程及び第２工程における作業を行うことを、ユーザに強いることになり、ホーム無線基地局の設置位置が不確定になるという懸念が生じる。【００１０】
また、ホーム無線基地局の設置位置は、移動通信ネットワークに、一旦正しく登録された後であっても、ユーザの都合によって移動される可能性があるため、移動通信ネットワークにおいて、ホーム無線基地局の設置位置が移動されたことを検出して、ホーム無線基地局の設置位置が正常に登録されている状態での運用を行う仕組みが必要である。【００１１】
かかる懸念を解消するための方法として、ホーム無線基地局にＧＰＳ機能を実装させて、当該ＧＰＳ機能を用いて当該ホーム無線基地局の位置情報を取得する方法が想定される。【００１２】
かかる方法によれば、移動通信ネットワークにおいて、ホーム無線基地局の設置位置を常に把握することが可能となるが、ホーム無線基地局に、ホーム無線基地局の設置位置を把握する用途にのみ利用されるＧＰＳ機能を実装させる必要があり、ホーム無線基地局を安価にすることに対する障害となる。【００１３】
そこで、本発明は、上述の課題に鑑みてなされたものであり、ホーム無線基地局にＧＰＳ機能を実装させることなく、移動通信ネットワークに登録されているホーム無線基地局の設置位置とホーム無線基地局の実際の設置位置との間の整合性を取ることができる無線基地局監視方法及びネットワーク装置を提供することを目的とする。
【課題を解決するための手段】
【００１４】
本発明の第１の特徴は、無線基地局を監視する無線基地局監視方法であって、第１無線基地局が、周辺に存在する第２無線基地局の共通制御チャネルを監視し、新たに共通制御チャネルを検出した第２無線基地局及び検出しなくなった第２無線基地局を、変更有りの第２無線基地局として検出する工程Ａと、前記第１無線基地局が、前記変更有りの第２無線基地局に係る情報を、ネットワーク装置に対して通知する工程Ｂと、前記ネットワーク装置が、前記第１無線基地局に関連付けられている前記第２無線基地局に係る情報と、通知された前記変更有りの第２無線基地局に係る情報とを用いて、前記第１無線基地局又は前記第２無線基地局の少なくとも一方の運用を停止する工程Ｃとを有することを要旨とする。【００１５】
本発明の第１の特徴において、前記工程Ａにおいて、前記第１無線基地局は、前記第２無線基地局における共通制御チャネル送信用として割り当てられている周波数と送信タイミングと拡散符号とを用いて、前記共通制御チャネルを検出してもよい。【００１６】
本発明の第１の特徴において、前記工程Ｂにおいて、前記第１無線基地局は、前記変更有りの第２無線基地局に係る情報として、前記第２無線基地局の識別情報と、前記第２無線基地局における共通制御チャネル送信用として割り当てられている周波数、送信タイミング、拡散符号のうちの少なくとも１つとを、前記ネットワーク装置に送信してもよい。【００１７】
本発明の第１の特徴において、前記工程Ｃにおいて、前記ネットワーク装置は、前記第１無線基地局に関連付けられている前記第２無線基地局において、前記変更有りの第２無線基地局の数と、残りの第２無線基地局の数とを比較し、該比較結果に基づいて、該第１無線基地局及び前記変更有りの第２無線基地局のどちらの設置位置が移動したかについて判定し、設置位置が移動したと判定された無線基地局の運用を停止してもよい。【００１８】
本発明の第１の特徴において、前記工程Ｃにおいて、前記ネットワーク装置は、前記第１無線基地局に関連付けられている前記第２無線基地局において、前記変更有りの第２無線基地局の数が、前記残りの第２無線基地局の数より少ない場合には、前記変更有りの第２無線基地局の設置位置が移動したと判定してもよい。【００１９】
本発明の第１の特徴において、前記工程Ｃにおいて、前記残りの第２無線基地局の中に第３無線基地局が含まれている場合、前記ネットワーク装置は、前記変更有りの第２無線基地局の設置位置が移動したと判定してもよい。【００２０】
本発明の第１の特徴において、前記工程Ｃにおいて、前記ネットワーク装置は、運用停止要求信号を送信することによって、前記第１無線基地局又は前記第２無線基地局の少なくとも一方の運用を停止してもよい。【００２１】
本発明の第１の特徴において、前記ネットワーク装置は、運用を停止した前記無線基地局に対応する通信端末に対して、再度、該無線基地局に係る情報を登録するように通知してもよい。【００２２】
本発明の第２の特徴は、無線基地局を監視する無線基地局監視方法で用いられるネットワーク装置であって、第１無線基地局が、周辺に存在する第２無線基地局の共通制御チャネルを監視し、新たに共通制御チャネルを検出した第２無線基地局及び検出しなくなった第２無線基地局を変更有りの第２無線基地局として検出し、該変更有りの第２無線基地局に係る情報を前記ネットワーク装置に対して通知した場合に、前記第１無線基地局に関連付けられている前記第２無線基地局に係る情報と通知された前記変更有りの第２無線基地局に係る情報とを用いて、前記第１無線基地局又は前記第２無線基地局の少なくとも一方の運用を停止するように構成されている監視部とを具備することを要旨とする。【００２３】
本発明の第２の特徴において、前記監視部は、前記第１無線基地局に関連付けられている前記第２無線基地局において、前記変更有りの第２無線基地局の数と、残りの第２無線基地局の数とを比較し、該比較結果に基づいて、該第１無線基地局及び前記変更有りの第２無線基地局のどちらの設置位置が移動したかについて判定し、設置位置が移動したと判定された無線基地局の運用を停止するように構成されていてもよい。【００２４】
本発明の第２の特徴において、前記監視部は、前記第１無線基地局に関連付けられている前記第２無線基地局において、前記変更有りの第２無線基地局の数が、前記残りの第２無線基地局の数より少ない場合には、前記変更有りの第２無線基地局の設置位置が移動したと判定するように構成されていてもよい。【００２５】
本発明の第２の特徴において、前記監視部は、前記残りの第２無線基地局の中に第３無線基地局が含まれている場合、前記変更有りの第２無線基地局の設置位置が移動したと判定するように構成されていてもよい。【００２６】
本発明の第２の特徴において、前記監視部は、運用停止要求信号を送信することによって、前記第１無線基地局又は前記第２無線基地局の少なくとも一方の運用を停止するように構成されていてもよい。【００２７】
本発明の第２の特徴において、前記ネットワーク装置は、運用を停止した前記無線基地局に対応する通信端末に対して、再度、該無線基地局に係る情報を登録するように通知するように構成されていてもよい。
【発明の効果】
【００２８】
以上説明したように、本発明によれば、ホーム無線基地局にＧＰＳ機能を実装させることなく、移動通信ネットワークに登録されているホーム無線基地局の設置位置とホーム無線基地局の実際の設置位置との間の整合性を取ることができる無線基地局監視方法及びネットワーク装置を提供することができる。
【図面の簡単な説明】
【００２９】
【図１】図１は、本発明の第１の実施形態に係る移動通信システムの全体構成図である。
【図２】図２は、本発明の第１の実施形態に係る移動通信システムを構成するネットワーク装置の機能ブロック図である。
【図３】図３は、本発明の第１の実施形態に係る移動通信システムの動作を示すシーケンス図である。
【図４】図４は、本発明の第１の実施形態に係る移動通信システムにおいて、どの無線基地局の設置位置が移動したか否かについて判定する動作を示すフローチャートである。
【図５】図５は、本発明の変更例１に係る移動通信システムの全体構成図である。
【発明を実施するための形態】
【００３０】
（本発明の第１の実施形態に係る移動通信システムの構成）
図１及び図２を参照して、本発明の第１の実施形態に係る移動通信システムの構成について説明する。
【００３１】
図１に示すように、本実施形態に係る移動通信システムは、ネットワーク装置１００と、ネットワーク装置１００に収容されている無線基地局２００乃至２０３とを具備している。
【００３２】
ここで、無線基地局２００（第３無線基地局）は、ネットワーク管理者（例えば、通信事業者等）によって設置される公衆通信用無線基地局であり、無線基地局２０１乃至２０３（第１無線基地局及び第２無線基地局）は、ユーザによって設置されるホーム無線基地局である。
【００３３】
また、ユーザは、自己の都合によって、ホーム無線基地局である無線基地局２０１乃至２０３の設置位置を移動することができる。
【００３４】
ホーム無線基地局である無線基地局２０１乃至２０３には、アクセスリストを用いて、無線基地局２０１乃至２０３に対するアクセスを許可又は規制する移動局を設定することができるものとする。
【００３５】
無線基地局２０１乃至２０３とネットワーク装置１００との間は、局間制御プロトコルによって接続されている。
【００３６】
無線基地局２０１乃至２０３の各々（第１無線基地局）は、周辺に存在する無線基地局（第２無線基地局）を監視し、新たに共通制御チャネルを検出した第２無線基地局及び検出しなくなった第２無線基地局を、変更有りの第２無線基地局として検出するように構成されている。
【００３７】
具体的には、第１無線基地局は、第２無線基地局における共通制御チャネル送信用として割り当てられている周波数と送信タイミングと拡散符号とを用いて、かかる共通制御チャネルを検出するように構成されている。
【００３８】
また、第１無線基地局は、検出した変更有りの第２無線基地局に係る情報を、ネットワーク装置１００に対して通知するように構成されている。
【００３９】
具体的には、第１無線基地局は、変更有りの第２無線基地局に係る情報（運用情報）として、第２無線基地局の識別情報（ＢＳＩＤ）と、第２無線基地局における共通制御チャネル送信用として割り当てられている周波数、送信タイミング、拡散符号のうちの少なくとも１つ（無線パラメータ）とを、ネットワーク装置１００に送信するように構成されている。
【００４０】
さらに、無線基地局２０１乃至２０３は、ネットワーク装置１００からの指示、すなわち、ネットワーク装置１００から送信された運用停止要求信号に応じて、運用を停止するように構成されている。
【００４１】
なお、本実施形態に係る移動通信システムが、Ｗ-ＣＤＭＡ方式の移動通信システムである場合、ネットワーク装置１００は、無線制御装置ＲＮＣや交換局ＭＳＣ/ＳＧＳＮ等によって構成されており、本実施形態に係る移動通信システムが、ＬＴＥ（Ｌｏｎｇ  Ｔｅｒｍ  Ｅｖｏｌｕｔｉｏｎ）方式の移動通信システムである場合、ネットワーク装置１００は、交換局ＭＭＥ等によって構成されているものとする。
【００４２】
また、図１に示すように、ネットワーク装置１００には、データベース３００が接続されている。
【００４３】
データベース３００には、ネットワーク装置１００に収容されている無線基地局２００乃至２０３の識別情報（ＢＳＩＤ）と、当該無線基地局２００乃至２０３の設置位置（経度、緯度等）と、当該無線基地局２００乃至２０３における共通制御チャネル送信用として割り当てられている周波数、送信タイミング、拡散符号のうちの少なくとも１つとを関連付ける運用情報が記憶されている。
【００４４】
かかる運用情報は、かかる無線基地局２００乃至２０３との間で通信を行っている移動局の位置情報を検出するために利用される。
【００４５】
ただし、無線基地局２００の設置位置は、ネットワーク管理者によって測定されているものであるため、信頼性は高いが、無線基地局２００乃至２０３の設置位置は、ユーザ都合によって自由に変更可能であるため、信頼性が低い。
【００４６】
具体的には、図２に示すように、ネットワーク装置１００は、運用情報受信部１０１と、移設判定部１０２と、運用停止信号送信部１０３と、再登録通知送信部１０４とを具備している。
【００４７】
運用情報受信部１０１は、第１無線基地局によって通知された第２無線基地局に係る情報（運用情報）を受信するように構成されている。
【００４８】
移設判定部１０２は、第１無線基地局と、該第１無線基地局の周辺に存在する第２無線基地局とを関連付けて記憶するように構成されている。
【００４９】
ここで、移設判定部１０２は、第１無線基地局に関連付けられている各第２無線基地局が、ユーザによって設置されたホーム無線基地局（ユーザ設置局）であるか、或いは、ネットワーク管理者（例えば、通信事業者等）によって設置された公衆通信用無線基地局（事業者設置局、第３無線基地局）であるかについて管理するように構成されている。
【００５０】
また、移設判定部１０２は、第１無線基地局に関連付けられている第２無線基地局において、変更有りの第２無線基地局の数と、残りの第２無線基地局（変更無しの第２無線基地局）の数とを比較し、かかる比較結果に基づいて、第１無線基地局及び変更有りの第２無線基地局のどちらの設置位置が移動したかについて判定するように構成されている。
【００５１】
具体的には、移設判定部１０２は、第１無線基地局に関連付けられている第２無線基地局において、変更有りの第２無線基地局の数が、残りの第２無線基地局の数より少ない場合には、変更有りの第２無線基地局の設置位置が移動したと判定するように構成されている。
【００５２】
また、移設判定部１０２は、上述の残りの第２無線基地局の中に公衆通信用無線基地局（第３無線基地局）が含まれている場合、変更有りの第２無線基地局の設置位置が移動したと判定するように構成されている。
【００５３】
運用停止信号送信部１０３は、第１無線基地局に関連付けられている第２無線基地局に係る情報と、通知された変更有りの第２無線基地局に係る情報とを用いて、第１無線基地局又は第２無線基地局の少なくとも一方の運用を停止するように構成されている。
【００５４】
具体的には、運用停止信号送信部１０３は、移設判定部１０２によって設置位置が移動したと判定された無線基地局の運用を停止するように構成されている。
【００５５】
ここで、運用停止信号送信部１０３は、運用停止要求信号を送信することによって、第１無線基地局又は第２無線基地局の少なくとも一方の運用を停止するように構成されている。
【００５６】
再登録通知送信部１０４は、運用停止信号送信部１０３によって運用を停止された無線基地局に対応する通信端末に対して、再度、かかる無線基地局に係る情報を登録するように通知するものである。
【００５７】
ここで、運用停止信号送信部１０３によって運用を停止された無線基地局に対応する通信端末とは、かかる無線基地局の所有ユーザの移動局やＰＣ等であって、再登録通知送信部１０４において、かかる無線基地局ごとに登録されているものである。
【００５８】
（本発明の第１の実施形態に係る移動通信システムの動作）
図３及び図４を参照して、本発明の第１の実施形態に係る移動通信システムの動作について説明する。
【００５９】
図３には、第１無線基地局２０１が、第２無線基地局２０３を新たに検知することで、ネットワーク装置１００が、第２無線基地局２０３の移設を発見して、第２無線基地局２０３の運用を停止する場合の動作について記載されている。
【００６０】
なお、図３には、第１無線基地局２０１は、周辺に存在する第２無線基地局として、無線基地局２００及び２０２を、既に認識しており、新たに、第２無線基地局として、無線基地局２０３を検知した場合の動作について記載されている。
【００６１】
また、第３無線基地局２００は、通信業者等のネットワーク管理者によって設置された事業者設置局（公衆通信用無線基地局）であり、その設置位置について信頼性が高いことは、ネットワーク装置１００のデータベース３００にも記載されているものとする。
【００６２】
図３に示すように、第１無線基地局２０１は、ステップＳ１００１において、定期的に周辺に存在している第２無線基地局２００、２０２、２０３の共通制御チャネルをスキャンしており、今回始めて無線基地局２０３の共通制御チャネルを検出した場合、ステップＳ１００２において、かかる共通制御チャネルを介して第２無線基地局２０３に係る情報（運用情報）を抽出し、かかる第２無線基地局２０３に係る情報（変更された第２無線基地局に係る情報）及び自局（第１無線基地局２０１）に係る情報（運用情報等）を、ネットワーク装置１００に対して通知する。
【００６３】
ステップＳ１００３において、無線基地局２０１及び２０３に係る情報（変更された第２無線基地局に係る情報）を受信したネットワーク装置１００は、データベース３００に登録されている無線基地局２０１及び２０３に係る情報と、通知された無線基地局２０１及び２０３に係る情報とを照合する。
【００６４】
データベース３００には、各無線基地局の識別情報や、当該無線基地局が利用している拡散コード等の無線パラメータや、当該無線基地局の設置位置が登録されている。
【００６５】
ここで、ネットワーク装置１００は、無線基地局の識別情報や、拡散コード等の無線パラメータについて、データベース３００に登録されている無線基地局２０１、２０３に係る情報と、通知された無線基地局２０１、２０３に係る情報とを照合することによって、データベース３００に登録されている無線基地局２０１、２０３のうち、変更有りの無線基地局２０１、２０３と、変更無しの無線基地局２０１、２０３とを検索することができる。
【００６６】
一方、ネットワーク装置１００は、無線基地局２０１及び２０３が移設されたか否かについて判定を行うことによって、信頼性の低い無線基地局の設置位置を検索することができる。
【００６７】
以下、図４を参照して、本実施形態に係る移動通信システムにおいて、どの無線基地局の設置位置が移動したかについて判定する動作について説明する。
【００６８】
図４に示すように、ステップＳ２００１において、ネットワーク装置１００は、データベース３００において第１無線基地局２０１に関連付けられている第２無線基地局の中から、変更有りの第２無線基地局２０３以外の無線基地局、すなわち、以前から共通制御チャネルを検出し続けている第２無線基地局（変更無しの第２無線基地局）を検出する。
【００６９】
そして、ネットワーク装置１００は、かかる変更無しの第２無線基地局の中に、設置位置の信頼性が高い事業者設置局（公衆通信用無線基地局、第３無線基地局）が存在するか否かについて判定する。
【００７０】
事業者設置局が存在すると判定された場合（ステップＳ２００２）、ステップＳ２００３において、ネットワーク装置１００は、第１無線基地局２０１の設置位置については変更が無いものと看做し、第２無線基地局２０３の設置位置が移動した（すなわち、第２無線基地局２０３が移設された）と看做す。
【００７１】
一方、事業者設置局が存在すると判定された場合（ステップＳ２００２）、ステップＳ２００４において、ネットワーク装置１００は、上述の変更無しの第２無線基地局内で、ユーザ設置局（ホーム無線基地局）の数をカウントする。
【００７２】
ステップＳ２００５において、ネットワーク装置１００は、ステップＳ２００４でカウントされたユーザ設置局（ホーム無線基地局）の数が、上述の変更有りの第２無線基地局が上回っているか否かについて判定する。
【００７３】
上回っていると判定された場合、ステップＳ２００６において、ネットワーク装置１００は、第２無線基地局２０３の設置位置が移動した（すなわち、第２無線基地局２０３が移設された）と看做す。
【００７４】
一方、上回っていると判定された場合、ステップＳ２００６において、ネットワーク装置１００は、第１無線基地局２０１の設置位置が移動した（すなわち、第２無線基地局２０３が移設された）と看做す。
【００７５】
なお、図４におけるステップＳ２００２の動作及び図４におけるステップＳ２００５の動作の順番を入れ替えてもよい。
【００７６】
図３に戻って、本実施形態では、第２無線基地局２０３の設置位置が移動した可能性が高いと考えられ、ネットワーク装置１００は、実際の第２無線基地局２０３の設置位置と、データベース３００に登録されている第２無線基地局２０３の設置位置との整合が取れていないと看做し、ステップＳ１００４において、第２無線基地局２０３に対して、運用停止要求信号を送信する。
【００７７】
ステップＳ１００５において、第２無線基地局２０３は、受信した運用停止要求信号に基づいて、自局の運用を停止する。
【００７８】
ステップＳ１００６において、ネットワーク装置１００は、第２無線基地局２０３を所有しているユーザの通信端末（第２無線基地局２０３に対応する通信端末）に対して、第２無線基地局２０３の移設を検出したことを通知すると共に、第２無線基地局２０３に係る情報を再登録するように促すための再登録通知を送信する。
【００７９】
（本発明の第１の実施形態に係る移動通信システムの作用・効果）
本発明の第１の実施形態に係る移動通信システムによれば、ホーム無線基地局２０１乃至２０３にＧＰＳ機能を実装させることなく、ホーム無線基地局２０１乃至２０３の設置位置の変更を検出し、移動通信ネットワークにおいて、ホーム無線基地局２０１乃至２０３に係る情報が正しく登録されている状態で運用を行うことができ、ホーム無線基地局２０１乃至２０３との間で通信中の移動局の位置情報を正確に提供するサービスを行うことができる。
【００８０】
（変更例１）
図５を参照して、本発明の変更例１に係る移動通信システムについて説明する。以下、本発明の変更例１に係る移動通信システムについて、上述の第1の実施形態との相違点に着目して説明する。
【００８１】
図５に示すように、本発明の変更例１に係る移動通信システムは、ネットワーク装置１００と、ネットワーク装置１００に収容されている無線基地局２００及び集約装置ＨＮＢ-ＧＷと、集約装置ＨＮＢ-ＧＷに収容されている無線基地局２０１及び乃至２０３とを具備している。
【００８２】
本発明の変更例１に係る移動通信システムでは、集約装置ＨＮＢ-ＧＷが、上述のネットワーク装置１００の機能の一部又は全部を具備していてもよい。したがって、本発明の変更例１に係る移動通信システムでは、集約装置ＨＮＢ-ＧＷを、ネットワーク装置と呼ぶこともできる。
【００８３】
なお、上述の無線基地局２００乃至２０３やネットワーク装置１００の動作は、ハードウェアによって実施されてもよいし、プロセッサによって実行されるソフトウェアモジュールによって実施されてもよいし、両者の組み合わせによって実施されてもよい。
【００８４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局２００乃至２０３やネットワーク装置１００内に設けられていてもよい。また、かかる記憶媒体及びプロセッサは、ディスクリートコンポーネントとして無線基地局２００乃至２０３やネットワーク装置１００内に設けられていてもよい。
【００８６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2009145212.tif 000003
【図２】
2009145212.tif 000004
【図３】
2009145212.tif 000005
【図４】
2009145212.tif 000006
【図５】
2009145212.tif 000007
【国際調査報告】
2009145212.tif 000008
2009145212.tif 000009